(57)【要約】【課題】  本発明は寝具を顧客が触れることができるように展示することを課題とする。【解決手段】  寝具展示台１０は、寝具展示台１０は、複数の敷き布団（寝具）１２を立体的に展示するための敷き布団展示パネル１４と、敷き布団展示パネル１４より水平方向に突出する上側支持棒１６（１６ａ１〜１６ｄ３）と下側支持棒１７（１７ａ１〜１７ｄ３）とが並設された第１列乃至第４列の支持部１８ａ〜１８ｄと、敷き布団展示パネル１４を垂直状態に保持するベース２０とを有する。そして、敷き布団１２は、下側支持棒１７（１７ａ１〜１７ｄ３）と上側支持棒１６（１６ａ１〜１６ｄ３）との間で挟持されるように横向きに広げた状態で支持される。そのため、顧客は店員を呼ばなくても敷き布団１２に触れてみて商品の品質を直接確かめることができる。【選択図】  図１
2005245955.tif 000002
【特許請求の範囲】
【請求項１】
床面に対して起立されたパネルと、
該パネルの前面より水平方向に突出し、寝具を支持する複数の支持部と、
を有することを特徴とする寝具展示台。
【請求項２】
前記複数の支持部は、
前記寝具を横向きに広げた状態で支持するように設けられたことを特徴とする請求項１に記載の寝具展示台。
【請求項３】
前記複数の支持部は、前記寝具を上下方向に折り曲げた状態に支持するように設けられたことを特徴とする請求項１または２に記載の寝具展示台。
【請求項４】
前記複数の支持部は、水平方向に隣接された支持部が高さの異なる位置に設けられ、低い位置と高い位置に交合になるように配置された複数の支持棒を有することを特徴とする請求項1乃至３の何れかに記載の寝具展示台。
【請求項５】
前記複数の支持棒は、上下方向に複数列に配置され、複数の寝具を上下方向に所定間隔毎に支持するように設けられたことを特徴とする請求項４に記載の寝具展示台。
【請求項６】
前記パネルは、背面に展示される前記寝具に関する情報が記載されたポスタを掲示する掲示スペースを有することを特徴とする請求項１に記載の寝具展示台。
【請求項７】
床面に対して起立されたパネルの前面より水平方向に突出した複数の支持部に寝具を横向きに広げた状態で支持させることを特徴とする寝具展示方法。
【発明の詳細な説明】
【技術分野】
【０００１】
本発明は寝具展示台及び寝具展示方法に係り、特に複数の棚の夫々に種類の異なる寝具を展示するように構成された寝具展示台及び寝具展示方法に関する。
【背景技術】
【０００２】
例えば、デパート等の寝具売り場には、多数の寝具（布団など）を効率よく収納できる寝具展示台が設置されている。この種の寝具展示台としては、複数の棚が上下に並設された構成であり、各棚に種類の異なる寝具を折り畳んだ状態で載置するようになっている（例えば、特許文献１参照）。
【０００３】
そして、店員は、顧客から展示された寝具を見たいという要望があると、棚に載置された寝具の中から希望のものを別のテーブルに運搬し、テーブル上に寝具を置いてみせることになる。また、顧客から別の寝具を見たいという要望があると、テーブル上の寝具を元の棚に戻した後に別の寝具を棚から下ろしてテーブル上に置くといった作業を繰り返すことになる。
【特許文献１】特開平９−３０８５５４号公報
【発明の開示】
【発明が解決しようとする課題】
【０００４】
従来の寝具展示台は、上記のように寝具を折り畳んだ状態で載置される棚が複数段設けられた構成であるので、多数の寝具（布団など）を効率よく展示できるものの、顧客が希望する商品（寝具）を実際に手に触れて品質を確認したい場合には、店員を呼んで棚に収納された寝具を棚から下ろしてもらう必要があり、店員を呼ばずに棚に置かれた寝具を自由にみることができないという問題があった。
【０００５】
そのため、顧客が購入することを迷っている場合には、店員を呼ぶことをためらってしまい、希望する商品（寝具）が棚に置かれていても、直接商品に触れることができず、何となくみるだけになってしまい、販売の促進を図ることが難しかった。
【０００６】
また、店員側では、顧客から呼ばれると、その棚に収納された寝具を運搬しなければならず、余計な時間と労力を要していた。特に、店員が接客中であるときは、他の顧客が来ても応対することができず、他の顧客を待たせることになり、急ぐ顧客であると、待ちきれない場合もあるので、販売のチャンスを逃してしまうおそれがあった。
【０００７】
そこで、本発明は上記課題を解決した寝具展示台及び寝具展示方法を提供することを目的とする。
【課題を解決するための手段】
【０００８】
請求項１記載の発明は、床面に対して起立されたパネルと、該パネルの前面より水平方向に突出し、寝具を支持する複数の支持部と、を有することを特徴とする。
【０００９】
請求項２記載の発明は、前記複数の支持部が、前記寝具を横向きに広げた状態で支持するように設けられたことを特徴とする。
【００１０】
請求項３記載の発明は、前記複数の支持部が、前記寝具を上下方向に折り曲げた状態に支持するように設けられたことを特徴とする。
【００１１】
請求項４記載の発明は、前記複数の支持部が、水平方向に隣接された支持部が高さの異なる位置に設けられ、低い位置と高い位置に交合になるように配置された複数の支持棒を有することを特徴とする。
【００１２】
請求項５記載の発明は、前記複数の支持棒が、上下方向に複数列に配置され、複数の寝具を上下方向に所定間隔毎に支持するように設けられたことを特徴とする。
【００１３】
請求項６記載の発明は、前記パネルが、背面に展示される前記寝具に関する情報が記載されたポスタを掲示する掲示スペースを有することを特徴とする。
【００１４】
請求項７記載の発明は、床面に対して起立されたパネルの前面より水平方向に突出した複数の支持部に寝具を横向きに広げた状態で支持させることを特徴とする。
寝具展示方法。
【発明の効果】
【００１５】
本発明によれば、床面に対して起立されたパネルの前面より水平方向に突出した複数の支持部に寝具を横向きに広げた状態で支持するため、顧客が棚に載置された寝具に直接触れることが可能になり、その都度店員を呼ばなくて済むので、顧客も店員に気を使うことなく展示された任意の寝具を自由に見て触れることができる。さらに、顧客に呼ばれた店員が棚から寝具を下ろす作業がなくなるため、店員の負担も軽減できると共に、寝具の上げ下ろし作業から開放された店員が接客に専念できるので、接客による販売促進をより一層高めることができる。
【発明を実施するための最良の形態】
【００１６】
以下、図面と共に本発明の一実施例について説明する。
【実施例１】
【００１７】
図１は本発明になる寝具展示台の実施例１を示す斜視図である。図２は寝具展示台の実施例１の正面図である。図３は寝具展示台の実施例１の側面図である。図４は寝具展示台の実施例１の平面図である。
図１乃至図４に示されるように、寝具展示台１０は、複数の敷き布団（寝具）１２を立体的に展示するための敷き布団展示パネル１４と、敷き布団展示パネル１４より水平方向に突出する上側支持棒１６（１６ａ１〜１６ｄ３）と下側支持棒１７（１７ａ１〜１７ｄ３）とが並設された第１列乃至第４列の支持部１８ａ〜１８ｄと、敷き布団展示パネル１４を垂直状態に保持するベース２０とを有する。
【００１８】
下側支持棒１７（１７ａ１〜１７ｄ３）は、上側支持棒１６（１６ａ１〜１６ｄ３）に対して上下方向に移動可能に保持する高さ位置調整部材２２により任意の高さ位置に調整される。そして、敷き布団１２は、下側支持棒１７（１７ａ１〜１７ｄ３）と上側支持棒１６（１６ａ１〜１６ｄ３）との間で挟持されるように横向きに広げた状態で支持される。尚、下側支持棒１７（１７ａ１〜１７ｄ３）と上側支持棒１６（１６ａ１〜１６ｄ３）との間隔は、敷き布団１２の厚さ寸法に応じて高さ位置調整部材２２を移動させることにより、任意の寸法に調整可能である。敷き布団展示パネル１４の背面１４ｂには、上下方向に延在形成され高さ位置調整部材２２を任意の高さ位置に保持する保持部材２３が取り付けられている。
【００１９】
また、上側支持棒１６（１６ａ１〜１６ｄ３）及び下側支持棒１７（１７ａ１〜１７ｄ３）は、夫々木製の丸棒材（例えば、ナラ材または間伐材をウレタンクリア塗装仕上げ）からなり、片持ち梁構造で取り付けられている。また、上側支持棒１６（１６ａ１〜１６ｄ３）及び下側支持棒１７（１７ａ１〜１７ｄ３）は、直径の異なる丸棒材が複数種用意してあり、展示する敷き布団１２の重量に応じて任意の直径ものを選択的に取り付けることができる。
【００２０】
敷き布団展示パネル１４は、例えば透明な強化ガラス板などからなり、下端部がベース２０の溝２０ａに嵌合係止され、且つベース２０の上面に起立する透明ガラス板からなるブラケット２５ａ〜２５ｄが前面１４ａに対して直角方向から当接している。そのため、敷き布団展示パネル１４は、ベース２０の上面に垂直状態に保持されると共に、前面側へ傾斜しないように補強されている。
【００２１】
また、敷き布団展示パネル１４は、前面１４ａが支持部１８ａ〜１８ｄを有する敷き布団展示領域であり、背面１４ｂが展示される商品の特徴などが印刷されたフィルム状印刷物（「サインパネル」とも呼ばれている）１９を貼るためのサイン掲示領域として機能する。
【００２２】
また、敷き布団展示パネル１４には、支持部１８ａ〜１８ｄ間の上下方向に延在形成された長方形状のスリット２４ａ〜２４ｃが設けられている。このスリット２４ａ〜２４ｃは、敷き布団展示パネル１４の背面１４ｂに貼着された印刷物を見ながら支持部１８ａ〜１８ｄに支持された敷き布団１２を背面側から直接確認することができるように設けられた窓である。
【００２３】
そして、各支持部１８ａ〜１８ｄは、上側支持棒１６（１６ａ１〜１６ｄ３）及び下側支持棒１７（１７ａ１〜１７ｄ３）が同じ高さ位置ではなく、隣接する列で交互に高さ位置がずれように取り付けられている。本実施例では、第１列と第３列の支持部１８１，１８３の上側支持棒１６（１６ａ１〜１６ｄ３）及び下側支持棒１７（１７ａ１〜１７ｄ３）が低位置に調整され、第２列と第４列の支持部１８２，１８４の上側支持棒１６（１６ａ１〜１６ｄ３）及び下側支持棒１７（１７ａ１〜１７ｄ３）が高位置に調整されている。
【００２４】
そのため、上側支持棒１６（１６ａ１〜１６ｄ３）と下側支持棒１７（１７ａ１〜１７ｄ３）との間で挟持された敷き布団１２は、正面（図２参照）から見るとＳ字状に上下方向に湾曲された状態で保持されている。これにより、敷き布団１２は、前後方向及び左右方向にずれにくくなり、顧客が敷き布団１２に触っているときに各支持部１８ａ〜１８ｄからずれ落ちることが防止される。また、敷き布団１２が上側支持棒１６（１６ａ１〜１６ｄ３）及び下側支持棒１７（１７１〜１７３）によって４箇所で挟持されるため、例えば、平面状の台に載置するよりも顧客が直接触れやすくなっており、上側支持棒１６（１６ａ１〜１６ｄ３）及び下側支持棒１７（１７ａ１〜１７ｄ３）を除く部分で展示された敷き布団１２に触れることが可能になる。
【００２５】
このように、寝具展示台１０は、上側支持棒１６（１６ａ１〜１６ｄ３）と下側支持棒１７（１７ａ１〜１７ｄ３）との間で挟持された敷き布団１２を横向きに広げた状態で支持するため、顧客が店員を呼ばなくても自ら敷き布団１２に触れてみて商品の品質を直接確かめることができる。そのため、顧客は、寝具展示台１０に展示された敷き布団１２を下見したい場合には、店員に気を使うことなく敷き布団１２の品質を確認することができる。
【００２６】
また、店員は、寝具展示台１０に展示された敷き布団１２を確認した顧客が質問や購入、あるいは贈答するなどの用件がある場合に顧客に対する接客を行うことになり、従来のように棚に展示された敷き布団１２の上げ下ろし作業を行う必要がなくなり、店員の負担も軽減できる。これにより、店員は、敷き布団１２の上げ下ろし作業から開放されると共に、購入を決めた顧客に対する接客に専念できるので、販売促進をより一層高めることができる。
【実施例２】
【００２７】
図５は寝具展示台の実施例２を示す斜視図である。図６は寝具展示台の実施例２の正面図である。尚、図５及び図６において、上記実施例１と共通部分については同一符号を付してその説明を省略する。
【００２８】
寝具展示台３０は、マットレス（寝具）３２を展示するものであり、前述した寝具展示台１０から上側支持棒１６（１６ａ１〜１６ｄ３）を除去した構成になっている。マットレス３２は、３段に折り畳めるようにマット３２ａ〜３２ｃに３分割されており、各マット間には布製のヒンジ３２ｄ，３２ｅが設けられている。
【００２９】
そして、マットレス３２は、ヒンジ３２ｄ，３２ｅが折れるような形で支持部１８２，１８４の下側支持棒１７（１７ｂ１〜１７ｃ３）に載置されてＮ字状に支持される。このマットレス３２の場合は、ヒンジ３２ｄ，３２ｅで折り曲げることができるので、上側支持棒１６（１６ａ１〜１６ｄ３）を用いて挟持する必要がない。
【００３０】
従って、寝具展示台３０は、上記実施例１と同様にマットレス３２を横向きに広げた状態で支持するため、顧客が店員を呼ばなくても自らマットレス３２に触れてみて商品の品質を直接確かめることができる。そのため、顧客は、寝具展示台３０に展示されたマットレス３２を下見したい場合には、店員に気を使うことなくマットレス３２の品質を確認することができる。
【００３１】
また、店員は、寝具展示台３０に展示されたマットレス３２を確認した顧客が質問や購入、あるいは贈答するなどの用件がある場合に顧客に対する接客を行うことになり、従来のように棚に展示されたマットレス３２の上げ下ろし作業を行う必要がなくなり、店員の負担も軽減できる。これにより、店員は、マットレス３２の上げ下ろし作業から開放されると共に、購入を決めた顧客に対する接客に専念できるので、販売促進をより一層高めることができる。
【００３２】
尚、上記実施例では、上側支持棒１６（１６ａ１〜１６ｄ３）及び下側支持棒１７（１７ａ１〜１７ｄ３）を丸棒状に形成されたものを一例として挙げたが、これに限らず、例えば、丸棒の代わりに四角形あるいは楕円形としても良い。
【００３３】
また、上記実施例では、上側支持棒１６（１６ａ１〜１６ｄ３）及び下側支持棒１７（１７ａ１〜１７ｄ３）を敷き布団展示パネル１４から水平方向に突出するように設けた構成としたが、これに限らず、先端部が上方を向くように所定角度傾斜した状態に取り付けて敷き布団１２及びマットレス３２が前面側にずり落ちないようにしても良い。
【図面の簡単な説明】
【００３４】
【図１】本発明になる寝具展示台の実施例１を示す斜視図である。
【図２】は寝具展示台の実施例１の正面図である。
【図３】寝具展示台の実施例１の側面図である。
【図４】寝具展示台の実施例１の平面図である。
【図５】寝具展示台の実施例２を示す斜視図である。
【図６】寝具展示台の実施例２の正面図である。
【符号の説明】
【００３５】
１０，３０  寝具展示台
１２  敷き布団
１４  敷き布団展示パネル
１６（１６ａ１〜１６ｄ３）  上側支持棒
１７（１７ａ１〜１７ｄ３）  下側支持棒
１８ａ〜１８ｄ  支持部
１９  フィルム状印刷物
２２  高さ位置調整部材
２４ａ〜２４ｃ  スリット
３２  マットレス
【図１】
2005245955.tif 000003
【図２】
2005245955.tif 000004
【図３】
2005245955.tif 000005
【図４】
2005245955.tif 000006
【図５】
2005245955.tif 000007
【図６】
2005245955.tif 000008